(57)【特許請求の範囲】
【請求項１】
便器に搭載した温水洗浄便座と、前記温水洗浄便座に給水を行う給水手段と、前記温水洗浄便座に給電する電源手段と、前記電源手段より給電を行う電子冷却素子と、前記給水手段から給水される前記電子冷却素子の放熱側に設けた放熱交換器と、前記電子冷却素子の吸熱側に設けた吸熱交換器と、前記電子冷却素子を制御する制御器を有するとともに前記放熱交換器の温度を検出する温度検出手段を備えたトイレ装置。
【請求項２】
制御器は前記温度検出器で検出される温度が所定値を越えた場合に、電子冷却素子への給電を停止した請求項１記載のトイレ装置。
【請求項３】
制御器は、電子冷却素子への通電を停止した後、放熱交換器への通水を所定時間継続してから通水を止めた請求項２記載のトイレ装置。
【請求項４】
人体検出手段を備え、制御器は前記人体検出手段で人体を検出して電子冷却素子への給電と放熱交換器への通水を行った請求項１ないし３のいずれか１項記載のトイレ装置。
【請求項５】
温水洗浄便座の洗浄動作中も放熱交換器への通水を行った請求項１記載のトイレ装置。
【請求項６】
給水手段は水量制御手段を備え、放熱交換器への給水は水量制御手段以降から取った請求項１記載のトイレ装置。
【請求項７】
吸熱交換器として吸熱フィンを有し、前記吸熱フィンに送風する送風機と、前記送風機からの風を人体に対して吹き出す吹出口を備えた請求項１記載のトイレ装置。
【請求項８】
電子冷却素子への通電と放熱交換器への通水を行わず送風機からの送風のみを行う選択手段を備えた請求項７記載のトイレ装置。
【請求項９】
吹出口は温水洗浄便座の本体で、便蓋の跳ね上げ時に便蓋により隠蔽されない部分に設けた請求項７記載のトイレ装置。
【請求項１０】
吹出口は温水洗浄便座の蓋部に設けた請求項７記載のトイレ装置。
【発明の詳細な説明】
【０００１】
【産業上の利用分野】
本発明は、トイレにおいて冷房を行うトイレ装置に関するものである。
【０００２】
【従来の技術】
従来のこの種のトイレ装置には、図９に示すようなものがあった（例えば特開平６−３４１５１号公報）。
【０００３】
図９において、１はロータンクであり、ボールタップ２により給水が行われ、トイレ使用者により操作される開閉弁３により止水と放水が調節されている。ロータンク１の側壁には熱電変換素子４が取りつけられており、その第１熱交換面５はロータンク１内の水と熱交換を行い、第２熱交換面６は空気導管７内へ送風機８より送られる空気流と熱交換を行っている。熱電変換素子４は通電される電流の向きを変えることにより、送風機８より送風される空気流を加熱・冷却できるように構成されている。
【０００４】
【発明が解決しようとする課題】
しかしながら上記したような従来のトイレ装置では、次のような課題を有していた。
【０００５】
（１）ロータンク１を第１熱交換面の熱交換対象にしているため、熱交換量がロータンク１の容量によって制限され、かつロータンク１内に上下温度差を生じ熱交換効率の低下を起こし、冷房効果を損なっていた。
【０００６】
（２）ロータンク１の設置場所が設置されるトイレの状態により、高ったり、低かったり、隅であったり、遠かったりして人体を有効に冷房できていなかった。
【０００７】
（３）熱電変換素子へ給電する電源を特別に設ける必要があり、工事が大変であった。
【０００８】
本発明は上記課題を解決するものであり、トイレで確実、かつ有効に冷房ができ、工事も省力化することができるトイレ装置を提供することを目的としている。
【０００９】
【課題を解決するための手段】
上記の目的を達成するために本発明の第１の発明におけるトイレ装置は、便器に搭載した温水洗浄便座と、この温水洗浄便座に給水を行う給水手段と、温水洗浄便座に給電する電源手段と、この電源手段より給電を行う電子冷却素子と、給水手段から給水される電子冷却素子の放熱側に設けた放熱交換器と、電子冷却素子の吸熱側に設けた吸熱交換器と、少なくとも電子冷却素子を制御する制御器を有するとともに前記放熱交換器の温度を検出する温度検出手段を備えて構成するものである。
【００１０】
また、本発明の第２の発明におけるトイレ装置は、上記構成に加え、制御器は前記温度検出器で検出される温度が所定値を越えた場合に、電子冷却素子への給電を停止しするように構成するものである。
【００１１】
また、本発明の第３の発明におけるトイレ装置は、上記構成において制御器は、電子冷却素子への通電を停止した後、放熱交換器への通水を所定時間継続してから通水を止めて構成するものである。
【００１２】
また、本発明の第４の発明におけるトイレ装置は、上記構成に加え、人体検出手段を備え、制御器はこの人体検出手段で人体を検出して電子冷却素子への給電と放熱交換器への通水を行って構成するものである。
【００１３】
また、本発明の第５の発明におけるトイレ装置は、温水洗浄便座の洗浄動作中も放熱交換器への通水を行って構成するものである。
【００１４】
また、本発明の第６の発明におけるトイレ装置は、上記構成に加え給水手段は、水量制御手段を備え、放熱交換器への給水は水量制御手段以降から取って構成するものである。
【００１５】
また、本発明の第７の発明におけるトイレ装置は、上記構成において吸熱交換器として吸熱フィンを有し、この吸熱フィンに送風する送風機と、この送風機からの風を人体に対して吹き出す吹出口を備えて構成するものである。
【００１６】
また、本発明の第８の発明におけるトイレ装置は、この構成に加え、電子冷却素子への通電と放熱交換器への通水を行わず送風機からの送風のみを行う選択手段を備えて構成するものである。
【００１７】
また、本発明の第９の発明におけるトイレ装置は、この構成において吹出口は温水洗浄便座の本体で便蓋の跳ね上げ時に便蓋により隠蔽されない部分に設けて構成するものである。
【００１８】
また、本発明の第１０の発明におけるトイレ装置は、この構成において吹出口は温水洗浄便座の蓋部に設けて構成するものである。
【００１９】
【作用】
上記した構成によって本発明の第１の発明におけるトイレ装置は、電子冷却素子の放熱交換器に給水手段から給水を行うことにより放熱効率を高めて常に冷房効果を高く維持し、便器に電子冷却素子を搭載することにより人体に近い場所から有効に冷房を行い、温水洗浄便座の給水手段と電源手段を電子冷却素子に利用することと、便器に捨て水をすることにより構成の簡素化と工事の省力化が図れる。また、放熱交換器の温度を検出する温度検出手段を設けたので放熱交換器の温度を検出することで異常を検出可能となり、電子冷却素子の信頼性が向上する。
【００２０】
また、本発明の第２の発明におけるトイレ装置は、温度検出手段で検出される温度が所定値を越えた場合は、電子冷却素子への給電を停止し、断水時や異常時に電子冷却素子の損傷を防ぎ、安全を保つことができるものである。
【００２１】
また、本発明の第３の発明におけるトイレ装置は、電子冷却素子への通電を停止した後、所定時間、放熱交換器への通水を継続してから通水を止めることにより、十分に電子冷却素子を冷却し、温度歪みによる電子冷却素子の耐久性の劣化を防止するものである。
【００２２】
また、本発明の第４の発明におけるトイレ装置は、人体検出手段で人体を検出して電子冷却素子への給電と放熱交換器への通水を行うことにより、電子冷却素子の能力が限られる場合でも、便器に人が近づいたら、いち早く冷却を開始し蓄冷して使用時の冷房効果を高めることができるものである。
【００２３】
また、本発明の第５の発明におけるトイレ装置は、温水洗浄便座の洗浄動作中も放熱交換器への通水を行い、温水洗浄便座の使用水量が少なく水道メータが動作しない、不感水量域での使用を防止するものである。
【００２４】
また、本発明の第６の発明におけるトイレ装置は、水量制御手段により、放熱交換器への給水を水圧レベルや変動に関係なく一定とし、放熱交換能力を保つものである。
【００２５】
また、本発明の第７の発明におけるトイレ装置は、送風機からの冷風を人体に対して吹き出すことにより、人体へのスポット冷房を可能とし、電子冷却素子の能力が小さい場合でも、冷房効果を有効に発揮できるものである。
【００２６】
また、本発明の第８の発明におけるトイレ装置は、送風機から送風のみを行うことにより、冷風を必要としない状況時の良好な体感の維持と、電子冷却素子の消費電力の低減と、放熱交換器への給水の節水を実現するものである。
【００２７】
また、本発明の第９の発明におけるトイレ装置は、吹出口は温水洗浄便座の本体で便蓋により隠蔽されに設けることにより、臀部から背部等、特に用便時に肌を露出する部分に有効に冷却風を送り、冷房効果を高めることができるものである。
【００２８】
また、本発明の第１０の発明におけるトイレ装置は、この構成において吹出口は温水洗浄便座の蓋部に設けることにより、背部を中心に送風を行い、特に用便時に肌を露出する部分に有効に冷却風を送り、冷房効果を高めることができるものである。
【００２９】
【実施例】
以下本発明の実施例を図面に基づいて説明する。
【００３０】
図１において、便器９には温水洗浄便座１０が搭載されており、この温水洗浄便座１０に給水を行う給水手段として水道１１とこれから分岐した給水管１２が、また温水洗浄便座１０に給電する電源手段として商用電源１３が設けられ、漏電ブレーカ１４を介して給電が行われている。温水洗浄便座１０は、本体１５と、便座１６と、便蓋１７より成っており、本体１５内には後述する電子冷却素子１８と、給水管１２から給水される電子冷却素子１８の放熱側に設けた放熱交換器１９と、吸熱側に設けた吸熱交換器である吸熱フィン２０と、少なくとも電子冷却素子を制御する制御器２１が内設されている。また、本体１５の便蓋の跳ね上げ時に隠蔽されない部分に吹出口２２が、便蓋１７には吹出口２３、２４、２５が設けられており、吹出口２２は人体の臀部から背部を中心に、吹出口２３、２４は背部を中心に、また吹出口２５は頭部を中心に、冷風あるいは風のみを送ることができる。また、この温水洗浄便座１０や電子冷却素子１８の制御指示は、壁に取りつけたワイヤレスリモコン２６と、本体１５の袖部に設けた本体操作部２７により行う。また、便器９の背部には便器９の洗浄水を供給するロータンク２８が設けられている。
【００３１】
各吹出口２２、２３、２４、２５から人体への冷風あるいは風のみの送風は、着座時においては、図２に示すごとく行われる。
【００３２】
図３に本実施例の構成の系統図を示す。給水経路系は、水道１１からロータンク２８の止水栓２９を経て、給水管１２の途中に設けた温水洗浄便座１０の止水栓３０、フィルター３１、逆止弁３２、を通り流路を開閉する電磁弁３３に連結される。この電磁弁３３から温水洗浄便座１０系は、１次側の圧力を減圧し２次側の圧力を一定に保つ水量制御手段である減圧弁３４、給水加圧と回転数制御により流量調節を行うポンプ３５、内部にヒータ３６を有した貯湯タンク３７、肛門洗浄とビデ洗浄を切り替える止水機能を有した切換弁３８、ノズルユニット３９が連結されている。
【００３３】
電子冷却素子１８は、この場合ビスマスーテルル系の半導体素子を用いており、その放熱側の放熱交換器１９は水冷式であって、放熱交換器１９へは減圧弁３４の２次側から分岐した通水管４０に設けた通水電磁弁４１を経て給水が行われる。
【００３４】
放熱交換器１９を水冷式としかつ流水式で構成することにより、空冷式や水冷式でも自然対流式と比較し、熱交換効率の飛躍的向上と、これに伴う構成のコンパクト化が図れている。
【００３５】
また、放熱交換器１９に対し空気だまりをなくすため、通水管４０は下部から入り上部に抜けるように構成され、熱交換を終えた水は便器９内に捨てられる。
【００３６】
このように、温水洗浄便座の１０の給水系統を電子冷却素子１８の放熱交換器１９の冷却系に利用することにより、放熱交換効率の向上と、特別にフィルター３１や逆止弁３２、電磁弁３３、減圧弁３４を設けることなく、部品の共用化が図れる利点を有している。
【００３７】
放熱交換器１９には温度検出手段として温度検出器４２が設けられ、断水時や異物が通水管や通水電磁弁４１に詰まった場合、また吸熱負荷の増大に伴う温度上昇時等に、所定値を越えたことを検出し、電子冷却素子１８等への給電を停止する手段として機能している。
【００３８】
電子冷却素子１８の吸熱側は吸熱フィン２０が設けられていて、この吸熱フィン２０に対し送風機４３から送風ができるように構成されている。また、吸熱フィン２０にはフィン温度検出器４４が設けられ、吸熱フィン２０の異常温度上昇や、設定値を越えた温度低下を検出し、電子冷却素子１８等への給電を停止する手段として機能している。また、吸熱フィン２０の出口には、風温検出器４５が設けられており、電子冷却素子１８の能力制御や送風機４３の回転数制御に利用されている。吸熱フィン２０の下付にはドレインパン４６が設けられており、ドレインチューブ４７を経て、便器９内にドレイン水が排水できるようになっている。
【００３９】
また温水洗浄便座１０はこの他、乾燥機能部４８、脱臭機能部４９、トイレ暖房機能部５０等を有している。そして、ワイヤレスリモコン２６あるいは本体操作部２７の指示により温水洗浄便座１０の各機能や、冷房機能、送風機能が指示できる。ワイヤレスリモコン２６の指示は本体受光部５１で、赤外線信号として取り込まれる。電気制御にかかわる部分は制御器２１により制御され、この制御器２１には、電源手段として直流を得るスイッチング電源５２が設けてあり、小さい体積で、大電流を要する電子冷却素子１８始め冷房機能部、また温水洗浄便座の直流を要する部分に給電を行っている。このため、電子冷却素子１８は温水洗浄便座１０とスイッチング電源５２や漏電ブレーカ１４、また電気配線系統等を共有でき、構成の合理化と工事の省力化が図れる。
【００４０】
便座１６には人体検出手段として着座スイッチ５３が設けられており、着座していない時の誤操作による、ノズルユニット３９の洗浄水の噴射の防止や、電子冷却素子１８系への通電開始、停止の役割を果たしている。
【００４１】
図４に電子冷却素子１８部の詳細を示す。放熱交換器１９は、２枚のステンレス板金を溶接し、内部に曲がりくねった流路が形成され、外表面に温度検出器４２がねじ止めされている。吸熱フィン２０はアルミ二ウムで構成され、図４のように縦方向に溝が形成され、ドレイン水が落下しやすくなっている。また、吸熱フィン２０は樹脂で構成され防露を図った風路５４内に設けられており、吸熱フィン２０の背面部５５において放熱交換器１９と、電子冷却素子１８をねじ５６で締め上げ圧着している。ねじ５６は電子冷却素子１９の熱膨張・収縮を吸収できるように、ばね座金を介して螺着されている。また、ねじ５６は放熱交換器１９と吸熱フィン２０間の熱伝導を低減するため、熱伝導性の低いステンレスや樹脂製のものが使用されている。
【００４２】
また、吸熱フィン２０は背面部５５が他部より相当厚肉に構成されており、蓄冷効果が出せるように工夫されている。更に、電子冷却素子１８よりも放熱交換器１９および吸熱フィン２０とも大きく構成されていて、ねじ５６で締め上げた場合、放熱交換器１９および吸熱フィン２０のたわみも熱膨張・収縮を吸収する一助とするとともに、比較的脆弱な電子冷却素子１８に直接外力が働いて破損することを防止している。
【００４３】
図５にワイヤレスリモコン２６の詳細を示す。温水洗浄便座１０の機能として、お尻洗浄スイッチ５７、ビデ洗浄スイッチ５８、これらお尻洗浄スイッチ５７とビデ洗浄スイッチ５８による洗浄を止める止めスイッチ５９、入り切りを兼ねた乾燥スイッチ６０と暖房スイッチ６１が設けられている。そして冷却機能として涼風スイッチ６２が設けられており、冷房モードの時は、アップスイッチ６３とダウンスイッチ６４により温度の高低と風量の高低が選択できるようになっている。このアップスイッチ６３とダウンスイッチ６４は、モード選択スイッチ６５により各モードに対応した変更ができるようになっている。すなわち、モードスイッチ６５を押すことにより、冷房の風温設定モードから風量設定モード、また洗浄の流量設定モード、乾燥の温温設定モードに順次切り変わるようになっている。どのモードにいるかは表示部６６に表示される。
【００４４】
冷房設定温度の初期値は後述する本体側でプリセットした温度となっているが、アップスイッチ６３を１回押すとやや高めの温度となり、もう１回押すと送風機４３による風だけの通風モードとなる。また、ダウンスイッチ６４を１回押すとやや低めの温度となり、更にもう１回押すと、一番低い温度となる。これらの状態を変えたい場合は、アップスイッチ６３とダウンスイッチ６４の操作により１段階ごとに温度が変更できる。またモードスイッチ６５の選択により、冷房の風量の変更もできる。風温と同様に、風量は通常は中位の風量で吹き出されるが、モード選択スイッチ６５で冷房の風量モードを選択し、アップスイッチ６３あるいはダウンスイッチ６４を操作することにより、風量が変更できる。これらのモード選択や、段階調節はすべて表示部６６に表示が行われ、使用者が容易に判別できるように工夫されている。このワイヤレスリモコン２６で指示、変更された内容は発光部６７から赤外線信号として、温水洗浄便座１０の本体側に送られる。
【００４５】
温水洗浄便座１０の本体１５の袖部に設けた本体操作部２７は、図６に示すように構成されている。温水洗浄便座１０の機能としては、お尻洗浄スイッチ６８、ビデ洗浄スイッチ６９、止めスイッチ７０、温水３７の沸き上げ温度プリセットボリューム７１、便座１６の暖房温度プリセットボリューム７２が設けられている。また、冷房機能としては、冷房温度のプリセットボリューム７３、着座スイッチ５３に連動した、電子冷却素子１８への給電と放熱交換器１９への通水を行うか、風だけの送風に限るかを選択する選択手段として涼風選択器７４が設けられている。涼風選択器７４とプリセットボリューム７３は、この実施例では別々に設けているが一緒に構成することも可能であり、また風量プリセットを別設して設けることも容易に考えられる。
【００４６】
これら本体操作部２７に設けたプリセット機能部以外のスイッチ類は、ワイヤレスリモコン２６の電池切れなどの場合に、本体側での操作を可能とするものである。
【００４７】
図７に本実施例の要部の制御ブロック図を示す。今までの説明に出てこない部分を重点的に説明すると、給電制御部７５は冷房温度のプリセットボリューム７３でのプリセット値あるいはこの温度をアップスイッチ６３、ダウンスイッチ６４により変更した値と、風温検出器４５の検出温度を比較して温度偏差に応じて電子冷却素子１８の能力制御を行う制御部である。
【００４８】
また、通水制御部７６は涼風選択器７４で電子冷却素子１８の使用が選択されている場合に、使用者が着座し着座スイッチ５３が入ったら、通水電磁弁４１を開成するとともに、涼風スイッチ６２で利用の停止が指示された場合、通水維持部７７に従い開成を維持する制御部である。また、送風機制御部７８は風量スイッチ６３、６４での設定風量に応じて送風機４３の回転数を制御する制御部である。
【００４９】
また、停止制御部７９はフィン温度検出器４４、温度検出器４２で検出される温度が所定値を越えた場合、電子冷却素子１８への通電を停止するとともに、表示器６６にその旨を表示する制御部である。
【００５０】
以上のような構成において次に本実施例の動作を説明する。なお、本実施例の動作の要部は図８のフローチャートのようになっている。
【００５１】
商用電源１３に漏電ブレーカー１４を差し込み電源セットを行うと、温水洗浄便座機能と冷房機能が使用可能になる。使用者が便座１６に着座すると着座スイッチ５３がオンとなる。涼風選択器７４で「冷」側が選択されている場合は、着座スイッチがオンすると電磁弁３３と通水電磁弁４１が開成され、放熱交換器１９への給水と電子冷却素子１８に給電が開始される。吸熱フィン２０のフィン温検出器４４で検出される温度が所定の温度範囲内にあり、熱すぎも、冷たすぎもしない状態では、給水と給電が続行される。また、放熱交換器１９の温度検出器４２で検出される温度が所定の温度範囲内にあり熱すぎない状態では、給水と給電が続行される。こうして吸熱フィン２０の温度は徐々に下がり蓄冷が行われる。ここで使用者が涼風スイッチ６２を押すと送風機４３の運転が開始され、予め設定された風量で風が送られ、冷房が行われる。使用者がモードスイッチ６５とアップスイッチ６３、ダウンスイッチ６４を操作して風量設定を変えた場合は、その設定風量に従った回転数に送風機４３の回転が変更される。そして、冷房温度のプリセットボリューム７３で設定された温度と風温検出器４５で検出される温度が比較され、電子冷却素子１８への給電量が調節される。使用者がモードスイッチ６５とアップスイッツチ６３、ダウンスイッチ６４を操作して風温設定を変えた場合は、その設定温度と風温検出器４５で検出される温度が比較され電子冷却素子１８への給電量が調節される。そして吹出２２、２３、２４、２５からは使用者の体に直接冷風が当たり、少ない電子冷却素子１８の能力で有効な冷房ができる。
【００５２】
負荷が大きく電子冷却素子１８の能力で十分な冷風が得られない場合は、表示部６６にその旨表示が行われる。使用者が涼風スイッチ６２を再び押して冷房の停止を指示すると、送風機４３の運転は停止される。しかし使用者が立ち上がり着座スイッチ５３がオフしない限りは、電子冷却素子１８への給電と放熱交換器１９への給水は続行される。これは、再び涼風スイッチ６２を押して冷房を要求された時に、設定に従った温度を早く得るためである。
【００５３】
使用者が便座１６から立ち上がり、着座スイッチ５３がオフすると自動的に電子冷却素子１８への給電が停止され、所定時間をおいてからまず電磁弁３３が続いて通水電磁弁４１が停止される。所定時間をおいてから通水を停止するのは、特に放熱交換器１９側の温度上昇を防ぎ、電子冷却素子１８を十分に冷し、耐久性の向上を図るためである。また、電磁弁３３を止めてから通水電磁弁４１を止めるのは使用停止時に貯湯タンク３７に過大な圧力がかかることを防止するためである。
【００５４】
使用者が涼風スイッチ６２を再び押すことなく便座１６から立ち上がった場合は、送風機４３を止め、次に電子冷却素子１８、続いて所定時間をおいて通水電磁弁４１を停止する。このため、使用者の涼風スイッチ６２の止め忘れに対処することができる。
【００５５】
フィン温検出器４４あるいは温度検出器４２で検出される温度が所定の温度範囲内を越えた場合は、電子冷却素子１８への給電を止め、表示部６６にその旨の表示を行い、所定時間経過後に電磁弁３３と通水電磁弁４１を停止する。
【００５６】
涼風選択器７４で風のみが設定されている場合は、涼風スイッチ６２を使用者がオンすると送風機４３が設定された風量に従った回転数で運転され、吹出２２、２３、２４、２５からは使用者の体に直接風だけが当たるようになっている。このため、体調や周囲温度、また季節によって特に冷たい温度を要求しないときは、使用者は風を体に当てて涼風感を得ることができる。
【００５７】
また、風量については、使用者がモードスイッチ６５とアップスイッチ６３、ダウンスイッチ６４を操作して風量設定を変えた場合は、その設定風量に従った回転数に送風機４３の回転が変更される。この風だけのモードについても、涼風スイッチ６２を再び押すと送風は止められるが、使用者が便座１６から立ち上がり着座スイッチ５３がオフとなっても自動的に送風は停止できる。
【００５８】
冷房の使用と他の温水洗浄便座１０の機能の併用については、洗浄機能と併用ができる。特にこの場合は涼風スイッチ６２が押されていなくても電磁弁３３が開成すると通水電磁弁４１が開成され、放熱交換器１９を通って便器９内に捨て水が行われ、洗浄水が少ない場合に発生する、水道メーターの不感水量を下回ることを防止している。特に、涼風選択器７４で冷風も指示されている時は、電子冷却素子１８へも給電が行われ、放熱フィン２０に蓄冷が行われる。無論、涼風スイッチ６２が押され冷風の供給が指示された場合は、通常の冷房運転が並行で行われる。
【００５９】
上記実施例では、電子冷却素子１８の吸熱側は、吸熱フィン２０を有し送風機４３で風を送る形式であったが、この吸熱側を輻射冷却型としたり伝導冷却型とする形式、またこれらの任意の組合せとする形式も他の実施例として有りうる。ただし、送風による形式、あるいは送風を主として他の方式を組み合わせる形式は、電子冷却素子１８を機能させず、風のみによる涼風感も得ることができる利点を有している。
【００６０】
また、給水手段は上記実施例では、水道１１から取水する方式を例に挙げたが、ロータンク等からポンプで水を汲み上げる方式でもよい。
【００６１】
また、上記実施例では電磁弁３３以降から放熱交換器１８への取水を行ったが、電磁弁３３と通水電磁弁４１を並列に設けても良い。この場合、減圧弁３４等の水量制御手段は通水電磁弁側にも設けたほうが安定した流量が得られる。
【００６２】
また、人体検出手段は上記実施例では、着座スイッチ５３を用いたが、便器に使用者が近付いたことを赤外線等を利用して非接触で検出する方法や、トイレのドアに検出手段を設ける方法等、様々な方法が考えられる。
【００６３】
また、電子冷却素子１８はビスマスーテルル系の以外にもゲルマニウムーシリコン系、鉄ーシリコン系、亜鉛ーアンチモン系等各種のものがありうる。
【００６４】
また、電源は商用電源以外にもバッテリー電源や自家用電源等がありえ、直流化もスイッチング電源の他トランス式でもよい。また直流電源も温水洗浄便座の直流変換器と兼ねる方法以外にも、冷房機能専用に直流変換器を設けても良い。
【００６５】
また、水量制御手段は減圧弁３４以外にも、定流量弁や流量センサーと弁を組み合わせたもの、また流量制御ができるポンプであってもよい。
【００６６】
また、冷房と風の選択手段は上記実施例のように切替スイッチ式以外にも、冷房温度設定の最高値部分を風のみのモードにするなど各種の方法が考えられる。
【００６７】
【発明の効果】
以上のように本発明は、便器に搭載した温水洗浄便座と、この温水洗浄便座に給水を行う給水手段と、温水洗浄便座に給電する電源手段と、この電源手段より給電を行う電子冷却素子と、給水手段から給水される電子冷却素子の放熱側に設けた放熱交換器と、電子冷却素子の吸熱側に設けた吸熱交換器と、少なくとも電子冷却素子を制御する制御器を有するとともに前記放熱交換器の温度を検出する温度検出手段を備えているため次のような効果を有する。
【００６８】
（１）電子冷却素子の放熱交換器に給水手段から給水を行うことにより、流水によって常に放熱効率を高く保ち冷房効果を良好な状態に維持できるとともに、人体に近い便器に電子冷却素子を搭載することにより、使用時に人体への冷房効果が有効に行え、かつ温水洗浄便座の給水手段と電源手段を電子冷却素子に利用し、放熱交換器で熱交換を終えた給水を便器に捨てることにより構成の簡素化と工事の省力化が図れる。また、放熱交換器の温度を検出する温度検出手段を設けたので放熱交換器の温度を検出することで異常を検出可能となり、電子冷却素子の信頼性が向上する。
【００６９】
（２）温度検出器で検出される温度が所定値を越えた場合は、電子冷却素子への給電を停止し、断水時や異常時に電子冷却素子の損傷を防ぎ、安全を保つことができる。
【００７０】
（３）電子冷却素子への通電を停止した後、所定時間、放熱交換器への通水を継続してから通水を止めることにより、十分に電子冷却素子を冷却し温度歪みによる電子冷却素子の耐久性の劣化等が防止できる。
【００７１】
（４）人体検出手段で人体を検出して電子冷却素子への給電と放熱交換器への通水を行うことにより、電子冷却素子の能力が限られる場合でも、便器に人が近づいたら、いち早く冷却を開始し蓄冷して使用時の冷房効果を高めることができる。
【００７２】
（５）温水洗浄便座の洗浄動作中も放熱交換器への通水を行い、温水洗浄便座の使用水量が少なく水道メータが動作しない、不感水量域での洗浄水の使用が防止できる。
【００７３】
（６）温水洗浄便座の水量制御手段により、温水洗浄便座自身への給水の安定化に加え、放熱交換器への給水を水圧レベルや変動に関係なく一定とし、放熱交換能力を保つことができる。
【００７４】
（７）送風機からの冷風を人体に対して吹き出すことにより、人体へのスポット冷房を可能とし、電子冷却素子の能力が小さい場合でも、冷房効果を有効に発揮できる。
【００７５】
（８）送風機からの送風のみを行うことにより、冷風を必要としない状況時に、良好な体感の維持と、電子冷却素子の消費電力の低減及び放熱交換器への給水の節水を実現できる。
【００７６】
（９）吹出口は温水洗浄便座の本体で便蓋の跳ね上げ時に便蓋により隠蔽されない部分に設けることにより、臀部から背部等、特に用便時に肌を露出する部分に有効に冷却風を送り、冷房効果を高めることができる。
【００７７】
（１０）吹出口を温水洗浄便座の蓋部に設けることにより、背部等、特に用便時に肌を露出する部分に有効に冷却風を送り、冷房効果を高めることができるとともに、男子小用時など立位での使用時においても、腹部等に涼風を有効に送風できる。
【図面の簡単な説明】
【図１】本発明の実施例におけるトイレ装置の斜視図
【図２】同トイレ装置の使用例を示す側面図
【図３】同トイレ装置の給水系及び電気系の系統図
【図４】（ａ）同トイレ装置に用いた電子冷却素子周辺の左側面図
（ｂ）同トイレ装置に用いた電子冷却素子周辺の正面図
（ｃ）同トイレ装置に用いた電子冷却素子周辺の右側面図
【図５】同トイレ装置に用いたワイヤレスリモコン正面図
【図６】同トイレ装置に用いた本体操作部の上面図
【図７】同トイレ装置の要部制御ブロック図
【図８】同トイレ装置の要部フローチャート
【図９】従来のトイレ装置の一部切欠き側面図
【符号の説明】
９  便器
１０  温水洗浄便座
１１  水道（給水手段）
１３  商用電源（電源）
１５  本体
１７  便蓋
１８  電子冷却素子
１９  放熱交換器
２０  吸熱フィン（吸熱交換器）
２１  制御器
２２、２３、２４、２５  吹出口
３４  減圧弁（水量制御手段）
４３  送風機
５３  着座スイッチ（人体検出手段）
【図１】
0003555176.tif 000002
【図２】
0003555176.tif 000003
【図３】
0003555176.tif 000004
【図４】
0003555176.tif 000005
【図５】
0003555176.tif 000006
【図６】
0003555176.tif 000007
【図７】
0003555176.tif 000008
【図８】
0003555176.tif 000009
【図９】
0003555176.tif 000010